(57)【要約】【課題】比較的自由に所望の位置に、高さが１．２〜１．４メートル程度の収納室を配置できる建物を提供する。【解決手段】床１７ｂの上方に、この床１７ｂより１．２〜１．４メートル高いスキップ床２０を設け、床１７ｂと、スキップ床２０と、これらの間に設けられた壁（外壁２２、内壁２３）とで囲まれた空間を収納室１７とし、この収納室１７を形成する壁２３に、該収納室１７への出入口１７ａを設けることによって、下階から上階に至る階段７の位置を考慮することなく、比較的自由に所望の位置に、高さが１．２〜１．４メートル程度の収納室１７を配置できる。【選択図】　　　　図３
2004068557.tif 000002
【特許請求の範囲】
【請求項１】
床の上方に、この床より１．２〜１．４メートル高いスキップ床を設け、このスキップ床と前記床との間に壁を設け、この壁と、前記床と、前記スキップ床とで囲まれた空間を収納室とし、
この収納室を形成する前記壁に、該収納室への出入口を設けたことを特徴とする建物。
【請求項２】
請求項１に記載の建物において、
収納区画と、この収納区画上に設けられ、該収納区画と平面形状が同一の居室区画とを備え、
前記収納区画内に前記収納室が配置され、前記居室区画内に前記スキップ床上の居室が配置され、
前記収納区画と居室区画とは一部が上下に連通しており、この連通した部分における前記収納区画内に、この収納区画の床から前記居室区画の床に至る階段が設けられていることを特徴とする建物。
【請求項３】
請求項２に記載の建物において、
前記収納区画は平面視において長方形または正方形状をなしており、
基準寸法をａ、２以上の自然数をそれぞれｎ、ｍとすると、前記収納区画の直交する辺のうち一方の辺の長さがｎａに、他方の辺の長さがｍａに設定され、
前記収納区画内に、平面視において、幅がａ、長さがａ〜２ａで、かつ、前記収納室と区画された階段室が設けられており、この階段室に前記収納区画の床から前記居室区画の床に至る階段が設けられていることを特徴とする建物。
【請求項４】
請求項１〜３のいずれか一項に記載の建物において、
前記収納室を形成する壁に設けられた前記出入口は、居室、廊下、ホールのうち少なくとも一つに面していることを特徴とする建物。
【請求項５】
請求項１〜４のいずれか一項に記載の建物において、前記スキップ床の上方の天井が勾配天井となっていることを特徴とする建物。
【発明の詳細な説明】
【０００１】
【発明の属する技術分野】
本発明は、高さが１．２〜１．４メール程度の収納室を備えた建物に関する。
【０００２】
【背景の技術】
上階（例えば２階）と下階（例えば１階）との間に収納室（蔵）を備えた建物の一例として特開平６−３２３００９号公報に記載のものが知られている。
この建物では、１階と２階の間に収納室である蔵を有する蔵階が設けられており、蔵階の蔵の出入口は、１階と２階とを連絡する階段の踊り場に面して設けられている。
【０００３】
【発明が解決しようとする課題】
ところで、上記のような従来の建物では、蔵（収納室）への出入口が１階と２階を連絡する階段の踊り場に面して設けられているので、収納室の位置と階段の位置考慮して、建物を設計する必要がある。一方、施主等の建物を購入する側においては、階段の位置等にかかわりなく、収納室を所望の位置に配置したいという要求がある。
また、高さが１．２〜１．４メートル程度の収納室を建物に設けた場合、収納室の上方にある居室は、収納室を設けた階より床のレベルが高くなるので、居室に至る階段を配置する必要がある。この場合、この階段の位置を考慮して、つまり階段を収納室の外側にある、他の居室、廊下、ホール等のどの部分に設けるかを考慮して収納室を配置しなければならないが、この階段が居室、廊下、ホール等に納まらない場合、居室、廊下、ホール等の平面視における形状や位置の設計変更を要する場合があるので、結局のところ収納室を所望の位置に配置するのが困難となる場合が多い。
【０００４】
本発明は上記事情に鑑みてなされたものであり、比較的自由に所望の位置に、高さが１．２〜１．４メートル程度の収納室を配置できる建物を提供することを目的としている。
【０００５】
【課題を解決するための手段】
上記目的を達成するために、請求項１に記載の発明は、例えば図１〜図５に示すように床１７ｂの上方に、この床１７ｂより１．２〜１．４メートル高いスキップ床２０を設け、このスキップ床２０と前記床１７ｂとの間に壁（外壁２２、内壁２３）を設け、この壁と、前記床１７ｂと、前記スキップ床２９とで囲まれた空間を収納室１７とし、
この収納室１７を形成する前記壁（内壁２３）に、該収納室１７への出入口１７ａを設けたことを特徴とする。
【０００６】
ここで、スキップ床２０の高さを１．２メートルから１．４メートルとしたのは、平均的な身長の大人が例えば腰や頭を少し低くした状態で、あるいは椅子に座った状態等で収納室１７内で自由に移動でき、かつ物品の搬入や搬出に十分な高さであるからである。
【０００７】
請求項１に記載の発明によれば、床１７ｂと、スキップ床２０と、これらの間に設けられた壁（外壁２２、内壁２３）とで囲まれた空間を収納室１７とし、この収納室１７を形成する壁２３に、該収納室１７への出入口１７ａを設けたので、この出入口１７ａを階段の踊り場からではなく、廊下１６等の床から使用できる。したがって、下階から上階に至る階段７の位置を考慮することなく、比較的自由に所望の位置に、高さが１．２〜１．４メートル程度の収納室１７を配置できる。
【０００８】
請求項２に記載の発明は、請求項１に記載の建物において、
収納区画３０と、この収納区画３０上に設けられ、該収納区画３０と平面形状が同一の居室区画３１とを備え、
前記収納区画３０内に前記収納室１７が配置され、前記居室区画３１内に前記スキップ床２０上の居室２５が配置され、
前記収納区画３０と居室区画３１とは一部が上下に連通しており、この連通した部分における前記収納区画３０内に、この収納区画３０の床から前記居室区画３１の床に至る階段２６が設けられていることを特徴とする。
【０００９】
請求項２に記載の発明によれば、収納室１７が配置された収納区画３０と居室２５が配置された居室区画３１とが上下に配置されており、これら収納区画３０と居室区画３１とが上下に連通した部分における収納区画３０内に、この収納区画３０の床から居室区画３１の床に至る階段２６が設けられているので、収納区画３０の外側に階段を配置することを考慮することなく、収納室１７を自由に配置できる。
つまり、収納区画３０内に、居室区画３１に至る階段２６を配置することで、収納区画３０の外側に階段を配置することを考慮することなく、収納室１７を自由に配置できる。
【００１０】
請求項３に記載の発明は、請求項２に記載の建物において、
前記収納区画３０は平面視において長方形または正方形状をなしており、
基準寸法をａ、２以上の自然数をそれぞれｎ、ｍとすると、前記収納区画３０の直交する辺のうち一方の辺の長さがｎａに、他方の辺の長さがｍａに設定され、
前記収納区画３０内に、平面視において、幅がａ、長さがａ〜２ａで、かつ、前記収納室１７と区画された階段室３２が設けられており、この階段室３２に前記収納区画３０の床から前記居室区画３１の床に至る階段２６が設けられていることを特徴とする。
【００１１】
ここで、前記基準寸法とは、建築物のあらゆる部分を一定の大きさに整えようとするときの基準になる寸法のことをいい、例えば基準寸法としては、９００ｍｍ、９１０ｍｍ、１０００ｍｍ、４５０ｍｍ、４５５ｍｍ、５００ｍｍ、２２５ｍｍ、２２７．５ｍｍ、２５０ｍｍ等が採用されるが、これらに限定されるものではない。
【００１２】
請求項３に記載の発明によれば、収納区画３０内に、平面視において、幅がａ、長さがａ〜２ａで、かつ、前記収納室１７と区画された階段室３２が設けられており、この階段室３２に前記収納区画３０の床から前記居室区画３１の床に至る階段２６が設けられているので、この階段２６を収納区画３０内に容易に位置決めして設置できる。
【００１３】
請求項４に記載の発明は、請求項１〜３のいずれか一項に記載の建物において、
前記収納室１７を形成する壁に設けられた出入口１７ａは、居室、廊下、ホールのうち少なくとも一つに面していることを特徴とする。
【００１４】
請求項４に記載の発明によれば、収納室１７への出入口１７ａが、居室、廊下、ホールのうち少なくとも一つに面しているので、階段の踊り場に面している場合に比して、収納室の使い勝手がよくなる。例えば、出入口が居室またはホールに面している場合、これらは踊り場と比べて占有スペースが大きいため、物の出し入れ作業が容易となる。また、出入口が廊下に面している場合、踊り場のように階段の途中まで物を上下に搬送する必要がないため、その分、物の搬送作業が容易となる。
【００１５】
請求項５に記載の発明は、請求項１〜４のいずれか一項に記載の建物において、前記スキップ床２０の上方の天井が勾配天井２８となっていることを特徴とする。
【００１６】
請求項５に記載の発明によれば、スキップ床２９の上方の天井が勾配天井２８となっているので、このスキップ床２０がそれより下の床から１．２〜１．４メートル高くなていても、スキップ床２０上の居室２５の天井高がそれほど低くならず、開放感を確保できる。
【００１７】
【発明の実施の形態】
以下、図面を参照して本発明の実施の形態について説明する。
図１および図２は、本発明に係る住宅を示すもので、図１は１階の平面図、図２は２階の平面図である。
これらの図に示す建物は、壁や床、屋根といった構成要素を予め工場にてパネル化しておき、施工現場でこれらのパネルを組み立てることにより、住宅を構築するといったパネル工法で構築されたものである。
【００１８】
図１に示すように、建物の１階には、玄関１、玄関ホール２、キッチン３、リビング４、収納庫５等が設けられており、キッチン３と収納庫５との間には、トイレ６と、１階から２階に至る階段７が設けられている。
【００１９】
図２に示すように、建物の２階には、前記階段７の降り口７ａにホール１０が連続して設けられている。階段７の東側には、トイレ１１が設けられており、このトイレ１１の南側に洗面室１２が設けられている。この洗面室１２の南側には浴室１３が設けられている。
洗面室１３の南側には居室１４が設けられており、ホール１０の西側には居室１５が設けられている。これら居室１４，１５には、ホール１０に接続された廊下１６から出入りできるようになっている。
【００２０】
また、居室１５の南側には、収納室１７が設けられており、この収納室１７の出入口１７ａは、廊下１６に面している。出入口１７ａは、引戸１７ｃによって開閉自在となっている。
また、収納室１７は、以下のように構成されている。
すなわち、まず、居室１４，１５、ホール１０、廊下１６等は同一レベルの床とされており、これら床と収納室１７の床１７ｂも同一レベルとなっている。この収納室１７の床１７ｂの上方には、図３に示すように、この床１７ｂより１．２〜１．４メートル高いスキップ床２０が設けられている。このスキップ床２０は、対向する壁間に設けられている。
【００２１】
スキップ床２０と、収納室１７の床１７ｂとの間には、住宅の外壁２２、内壁２３等が設けられており、これら外壁２２、内壁２３と、床１７ｂと、スキップ床２０とで囲まれた空間が収納室１７とされている。外壁２２、内壁２３は建物の躯体を構成するものであるので、躯体を構築する際に既に設けられており、スキップ床２０はこれら外壁２２や内壁２３間に床パネルを設けることによって、容易に構築できる。
【００２２】
また、スキップ床２０上には図３および図４に示すように、居室２５が設けられており、この居室２５には階段２６からドア２５ａを開けて出入りできるようになっている。スキップ床２０の上方の天井、すなわち居室２５の天井は勾配天井２８となっており、これによって、居室２５の床すなわちスキップ床２０が高くなった分、天井高を確保している。
また、階段２６は以下のようにして建物内に設けられている。すなわち、まず建物の２階には、図２および図５に示すように、収納区画３０が設けられている。この収納区画３０は外壁２２、内壁２３によって平面視において長方形状に囲まれ、前記床１７ｂを備えた部分である。
また、収納区画３０上には、図４に示すように、この収納区画３０と平面形状が同一の居室区画３１が設けられている。この居室区画３０も外壁２２、内壁２３によって平面視において長方形状に囲まれ、スキップ床２０を備えた部分である。
【００２３】
収納区画３０内には前記収納室１７が配置され、居室区画３１内には前記居室２５が配置されている。
収納区画３０と居室区画３１とは一部が上下に連通しており、この連通した部分における収納区画３０内に、前記階段２６が以下のようにして設けられている。
収納区画３０は、図５に示すように、平面視において長方形状をなしている。ここで、基準寸法をａ（ａ＝９１０ｍｍ）、２以上の自然をそれぞれｎ、ｍとすると、収納区画３０の直交する辺のうち一方の辺の長さがｎ（ｎ＝４）ａに、他方の辺の長さがｍ（ｍ＝３）ａに設定されている。
また、収納区画３０内には、平面視において、幅がａ、長さがａ〜２ａで、かつ、収納室１７と区画された階段室３２が設けられており、この階段室３２に収納区画３０の床から居室区画３１の床に至る前記階段２６が設けられている。階段２６の降り口は前記廊下１６に面している。階段室３２は、平面視において、幅がａつまり９１０ｍｍ、長さがａ〜２ａつまり９１０ｍｍ〜１８２０ｍｍとなっており、この階段室３２に高さが１．２〜１．４メートルの階段２６が設置されている。
【００２４】
本実施の形態の形態によれば、以下のような効果が得られる。
▲１▼床１７ｂと、スキップ床２９と、これらの間に設けられた外壁２２や内壁２３とで囲まれた空間を収納室１７とし、この収納室１７を形成する内壁２３に、出入口１７ａを設けたので、この出入口１７ａを階段７の踊り場からではなく、廊下１６から使用できる。したがって、階段７の位置を考慮することなく、比較的自由に所望の位置に、高さが１．２〜１．４メートル程度の収納室１７を配置できる。
▲２▼収納区画３０内に、居室区画３１に至る階段２６を配置したので、収納区画３０の外側に階段を配置することを考慮することなく、収納室１７を自由に配置できる。
▲３▼収納区画３０内に階段室３２が設けられており、この階段室３２に階段２６が設けられているので、この階段２６を収納区画３０内に容易に位置決めして設置できる。
▲４▼収納室１７への出入口１７ａが、ホール１０から連続する廊下１６に面しているので、出入口が階段の踊り場に面している場合に比して、物を上下に搬送する必要がないため、その分、物の搬送作業が容易となる。
▲５▼スキップ床の上方の天井が勾配天井となっているので、スキップ床上の居室の天井高がそれほど低くならず、開放感を確保できる。
【００２５】
なお、以上の実施の形態では、収納室１７の出入口１７ａを廊下１６に面して設けたが、これに限ることなく、例えば、収納室１７と居室１４とを仕切る壁に設けてもよい。
また、収納室１７以外に、または、収納室１７に代えて収納室を設けたい場合、例えば、居室１５の上方に、スキップ床２０と同様のスキップ床を設け、このスキップ床と、居室１５の床との間を収納室とすればよい。もともとあった居室１５はスキップ床上に配置すればよい。
【００２６】
さらに、本実施の形態では、収納室１７を建物の２階に設けたが、１階に設けてもよい。この場合も、例えば、１階のリビング４の全域ではなく、一部領域上にスキップ床を設け、このスキップ床とリビング４の床との間を収納室とすればよい。この場合、収納室の出入口はスキップ床とリビング４の床との間に設けた内壁に設けてもよいが、これに加えて外壁に設けてもよい。このようにすると、建物の外側からも収納室に物の出し入れができる。なお、外壁に出入口を設ける場合、出入口を開閉する戸に鍵を付けるのは言うまでもない。
また、本実施の形態では、パネル工法による建物を例にとって説明したが、本発明の建物は、パネル工法に限らず、ツーバイフォー工法や在来の軸組工法にるものでもよく、その他、鉄骨造、コンクリート造によるものでもよい。
【００２７】
【発明の効果】
以上説明したように、請求項１に記載の発明によれば、床と、スキップ床と、これらの間に設けられた壁とで囲まれた空間を収納室とし、その壁に出入口を設けたので、この出入口を階段の踊り場からではなく、床から使用できる。したがって、下階から上階に至る階段の位置を考慮することなく、比較的自由に所望の位置に収納室を配置できる。
【００２８】
請求項２に記載の発明によれば、収納区画と居室区画とが上下に連通した部分における収納区画内に、この収納区画の床から居室区画の床に至る階段が設けられているので、収納区画の外側に階段を配置することを考慮することなく、収納室を自由に配置できる。
【００２９】
請求項３に記載の発明によれば、収納区画内に収納室と区画された階段室が設けられており、この階段室に収納区画の床から前記居室区画の床に至る階段が設けられているので、この階段を収納区画内に容易に位置決めして設置できる。
【００３０】
請求項４に記載の発明によれば、収納室への出入口が、居室、廊下、ホールのうち少なくとも一つに面しているので、階段の踊り場に面している場合に比して、収納室の使い勝手がよくなる。
【００３１】
請求項５に記載の発明によれば、スキップ床の上方の天井が勾配天井となっているので、スキップ床上の居室の天井高がそれほど低くならず、開放感を確保できる。
【図面の簡単な説明】
【図１】本発明の建物の一例を示すもので、建物の１階の平面図である。
【図２】同、建物の２階の平面図である。
【図３】同、建物の縦断面図である。
【図４】同、スキップ床上の居室の平面図である。
【図５】同、収納区画を示す平面図である。
【符号の説明】
１６　廊下
１７　収納室
１７ａ　出入口
１７ｂ　収納室の床（床）
２０　スキップ床
２２　外壁
２３　内壁
２５　居室
２６　階段
２８　勾配天井
３０　収納区画
３１　居室区画
３２　階段室
【図１】
2004068557.tif 000003
【図２】
2004068557.tif 000004
【図３】
2004068557.tif 000005
【図４】
2004068557.tif 000006
【図５】
2004068557.tif 000007